【手続補正書】
【提出日】平成20年4月2日(2008.4.2)
【手続補正１】
【補正対象書類名】明細書
【補正対象項目名】特許請求の範囲
【補正方法】変更
【補正の内容】
【特許請求の範囲】
【請求項１】
ターゲットイメージ内のカラーパッチの色値を含むデータファイルを獲得する獲得ステップと、
前記カラーパッチの色値を用いてカラー出力デバイスにより生成されたカラーパッチの空間情報を含むように前記データファイルを更新する第１の更新ステップと、
前記空間情報を用いて測色デバイスにより前記生成されたカラーパッチを測色することにより得られた測色値を取得する取得ステップと、
前記取得した測色値を含むように前記データファイルを更新する第２の更新ステップとを有することを特徴とする処理方法。
【請求項２】
前記データファイルはＩＴ８データファイルであることを特徴とする請求項１に記載の処理方法。
【請求項３】
前記空間情報は前記ターゲットイメージ内における前記カラーパッチの位置情報を含むことを特徴とする請求項１に記載の処理方法。
【請求項４】
前記空間情報は前記カラーパッチのサイズ情報を含むことを特徴とする請求項１に記載の処理方法。
【請求項５】
前記カラー出力デバイスはプリンタであることを特徴とする請求項１に記載の処理方法。
【請求項６】
前記カラー出力デバイスはモニタであることを特徴とする請求項１に記載の処理方法。
【請求項７】
更に、前記データファイルを検査して欠落データを識別するステップを含むことを特徴とする請求項１に記載の処理方法。
【請求項８】
ターゲットイメージ内のカラーパッチの色値を含むデータファイルを獲得する獲得手段と、
前記カラーパッチの色値を用いてカラー出力デバイスにより生成されたカラーパッチの空間情報を含むように前記データファイルを更新する第１の更新手段と、
前記空間情報を用いて測色デバイスにより前記生成されたカラーパッチを測色することにより得られた測色値を取得する取得手段と、
前記取得した測色値を含むように前記データファイルを更新する第２の更新手段とを有することを特徴とする処理装置。
【請求項９】
ターゲットイメージ内のカラーパッチの色値を含むデータファイルを獲得する獲得手段と、
前記カラーパッチの色値を用いてカラー出力デバイスにより生成されたカラーパッチの空間情報を含むように前記データファイルを更新する第１の更新手段と、
前記空間情報を用いて測色デバイスにより前記生成されたカラーパッチを測色することにより得られた測色値を取得する取得手段と、
前記取得した測色値を含むように前記データファイルを更新する第２の更新手段としてコンピュータを機能させるためのプログラムを記憶したことを特徴とするコンピュータ可読記憶媒体。
【手続補正２】
【補正対象書類名】明細書
【補正対象項目名】００１６
【補正方法】変更
【補正の内容】
【００１６】
ターゲットイメージ内のカラーパッチの色値を含むデータファイルを獲得する獲得ステップと、
前記カラーパッチの色値を用いてカラー出力デバイスにより生成されたカラーパッチの空間情報を含むように前記データファイルを更新する第１の更新ステップと、
前記空間情報を用いて測色デバイスにより前記生成されたカラーパッチを測色することにより得られた測色値を取得する取得ステップと、
前記取得した測色値を含むように前記データファイルを更新する第２の更新ステップとを有する。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】